(57)【要約】【課題】パチンコ島等における管理データを得るため台間玉貸機を特定するアドレス設定を、低コストで行なえるようにする。【解決手段】パチンコ台列を背中合わせに配置した島において、パチンコ台１３の隣接する２台ごとの間に台間玉貸機１５が配置され、中継器４０が隣接する背中合わせの４台の台間玉貸機１５ごとに設けてある。中継器４０はディップスイッチ４２と台間玉貸機１５が通信線４５で接続されるコネクタＡ、Ｂ、Ｃ、Ｄとを備え、バスライン５０を介して島端の島コントローラ３０と通信可能である。各中継器４０にディップスイッチ４２でアドレス番号を設定する。島コントローラの島設備アドレス設定部３２は、中継器４０のアドレス番号に中継器内のコネクタを識別する符号を付して、各台間玉貸機１５のアドレスとする。中継器だけにアドレス番号を設定すればよいのでディップスイッチが少数で済む。【選択図】            図２
2004261281.tif 000002
【特許請求の範囲】
【請求項１】
遊戯島に設置された複数の遊戯設備から、各遊戯設備の管理データを島コントローラに集約する遊戯設備の管理システムにおいて、
互に近く配置された１群の遊戯設備ごとに中継器を設け、
該中継器はそれぞれ、ディップスイッチと、前記１群の遊戯設備からの通信線と個別に接続するコネクタとを備えて、前記島コントローラと通信可能とされ、
各中継器に前記ディップスイッチでアドレス番号を設定し、
島コントローラには、前記中継器のアドレス番号に中継器内の前記コネクタを識別する符号を付して、前記各遊戯設備のアドレスとするアドレス設定手段を有することを特徴とする遊戯設備のアドレス設定装置。
【請求項２】
各中継器の前記コネクタは同数であって、前記１群の遊戯設備は所定の順序で前記コネクタに接続されることを特徴とする請求項１記載の遊戯設備のアドレス設定装置。
【発明の詳細な説明】
【０００１】
【発明の属する技術分野】
本発明は、パチンコ店などにおける遊戯設備に関する情報を、通信で島コントローラへ伝送するための、遊戯設備のアドレス設定装置に関する。
【０００２】
【従来の技術】
【特許文献１】特開平９−３１３７２２号公報
【特許文献２】特公平６７７６２２号公報
例えばパチンコ店においては、島を形成して並べられた各パチンコ台の台間スペースに台間玉貸機を設置して、顧客がプリペイドカードや貨幣を投入することにより所定数のパチンコ玉をパチンコ台の皿へ払出しするようになっている。
この台間玉貸機の売上げ情報やパチンコ玉払出し数の情報は、島ごとに設けられた島コントローラを介して集約される。この際、個々の台間玉貸機ごとのデータを管理可能とするため、島コントローラでは個々の台間玉貸機にアドレスを設定して識別する必要がある。
遊戯設備としては、主設備であるパチンコ台に加えて、上記台間玉貸機のほか紙幣や硬貨の搬送装置もあり、各設備でのトラブル情報もその発生部位が特定できるように管理される必要がある。
【０００３】
従来のこのようなアドレス設定の１つとして、いわゆるデジチェーン方式によるものがある。
これを台間玉貸機で説明すれば、島コントローラに１つの台間玉貸機を接続し、続いて他の台間玉貸機を順次に通信線で直列につないであり、毎日、島コントローラで島設備の電源をオンする際に、自動的に上記接続の順番で台間玉貸機間を受け渡し接続しながら、各台間玉貸機にアドレスとしての番号を設定していくものである。
しかし、デジチェーン方式によるアドレス設定では、台間玉貸機間を受け渡していく途中で、例えばノイズの影響によりトラブルが発生すると、それ以降の台間玉貸機との通信が不可能となりアドレスが設定できなくなってしまうので、安定性に欠けるという問題がある。
【０００４】
【発明が解決しようとする課題】
そこでその対策として、ディップスイッチによるアドレス設定がある。
これは、すべての台間玉貸機のそれぞれにアドレス用のディップスイッチを備えて、互に異なるアドレスを予め設定しておくものである。これによれば、予めハード的にアドレスが設定されるので、トラブルが発生した台間玉貸機以降との通信不能とかアドレス設定不能という問題は発生しない。
しかし、ある台間玉貸機を故障等のため交換することになると、新たな台間玉貸機に改めてアドレスを設定しなければならず、管理上の手間がかかることになる。
【０００５】
また、台間玉貸機のそれぞれにディップスイッチを備えなければならず、しかも島の台間玉貸機の台数規模によっては互いの識別のため桁数の多いディップスイッチが必要となる。このため、ディップスイッチを配置する回路基板上の設置スペースの確保の問題が生じるとともに、コスト高となる問題がある。
【０００６】
また、すべての台間玉貸機を直接島コントローラに接続するとノイズの影響を受けたり配線が輻輳するので、例えば台間玉貸機４台ごとに中継器を設けることも行なわれるが、その場合でも、パチンコ台１００台レベルの島では１６進のロータリ式ディップスイッチを用いても台間玉貸機４台間を識別するためには２桁のアドレスが必要であるから、１つの中継器のグループ単位で８（＝２×４）個のディップスイッチを要することになる。したがって、コスト高を免れない。
【０００７】
なお、上記ディップスイッチ方式に類似のものとして、特開平９−３１３７２２号公報に開示されたものがある。これは、各台間玉貸機に対応させたＥＥＰＲＯＭにアドレス番号を設定記憶させるものである。ＥＥＰＲＯＭは台間玉貸機本体を取り付ける取付枠部側に設置されており、本体を交換してもアドレスの再設定を不要とすることを目的としている。
【０００８】
しかし、これはＥＥＰＲＯＭまわりの回路が故障しないことを前提にしているだけで、当該回路を含めた台間玉貸機のトラブルで交換をした場合には当然にアドレスの再設定が必要である。
そしてこの従来例においても、すべての台間玉貸機に対してアドレス番号を記憶させるＥＥＰＲＯＭを必要とする点で、ディップスイッチ方式と同じく、コスト高を免れない。
【０００９】
そこで、本発明は、上記従来の問題点に鑑み、デジチェーン方式によるような通信不能とかアドレス設定不能の問題を招かず、低コストで簡単に遊戯設備のアドレスを設定可能したアドレス設定装置を提供することを目的とする。
【００１０】
【課題を解決するための手段】
このため、本発明は、遊戯設備の管理データを島コントローラに集約する遊戯設備の管理システムにおいて、互に近く配置された１群の遊戯設備ごとに、ディップスイッチと、各遊戯設備からの通信線と個別に接続するコネクタとを備える中継器を設けて、島コントローラでは、アドレス設定手段がディップスイッチで設定した中継器のアドレス番号に、中継器内のコネクタを識別する符号を付して、各遊戯設備のアドレスとするものとした。
【００１１】
【発明の効果】
ディップスイッチによるアドレス番号の設定を中継器だけに行なえばよいので、ディップスイッチの数を格段に少なくて済み、コストを大幅に低減できる。
デジチェーン方式と異なり、いずれかの遊戯設備でトラブルが発生しても、それ以降の遊戯設備との通信が不可能となることがない。
また、中継器のコネクタと遊戯設備の接続間違いがあっても、実際の接続状態に合わせて島コントローラ側で簡単に修正が可能である。
【００１２】
【発明の実施の形態】
以下、本発明の実施の形態について説明する。
図１は本発明をパチンコ店におけるパチンコ台の島に適用した実施の形態のレイアウトを示す。
複数のパチンコ台１３、１３を横方向に並べたパチンコ台列１１、１２を背中合わせにして１つの島１０が形成されている。横方向に並べられたパチンコ台１３の隣接する２台ごとの間に、それぞれ台間玉貸機１５が配置されているとともに、背中合わせのパチンコ台列１１、１２に挟まれた空間には紙幣搬送装置２０が列方向に延びている。
島１０の一端には、各台間玉貸機１５の各種情報を集約する島コントローラ３０が設置されている。
【００１３】
台間玉貸機１５は、公知のように紙幣投入口１６および硬貨投入口１７を備える。紙幣投入口１６から投入された紙幣は、紙幣搬送装置２０へ案内され、島１０の端部に設けられた紙幣回収部２４まで搬送される。
パチンコ台列１１、１２間の空間には、さらに各台間玉貸機１５へ硬貨を供給するための第１硬貨搬送装置２６と、台間玉貸機１５の硬貨投入口１７から投入された硬貨を島１０の端部に設けられた硬貨回収部２８まで搬送する第２硬貨搬送装置２７とが設けられている。
【００１４】
台間玉貸機１５は売上げデータ（投入された紙幣の枚数や硬貨の個数）を出力する。また台間玉貸機１５の内部には、とくに図示しないが、投入された紙幣や硬貨が詰まったことを検出するセンサ、投入金額に対応した個数のパチンコ玉が払出されたかを検出するセンサ、第１硬貨搬送装置２６から台間玉貸機１５へ供給される硬貨が詰まったことを検出するセンサ等が設けられている。本実施の形態では、便宜上これらトラブルを検出するセンサを一括して第１センサと呼ぶ。これらのセンサについては、特公平６７７６２２号公報に詳述されている。
また、パチンコ台１３にもパチンコ玉の詰まりその他のトラブルを検出する不図示の第２センサが設けられている。
なお、紙幣搬送装置２０はパチンコ台１３の２台分に相当する長さの搬送ユニット２２を連結して構成され、各搬送ユニット２２には紙幣の通過を検出する不図示の第３センサが付設されている。
【００１５】
図２は、台間玉貸機から島コントローラへのデータ通信系統図である。
全部でｎ台の台間玉貸機１５（１５１、１５２、・・・、１５ｎ）の呼び番号は、島コントローラ３０が設置された島端から近い順に一方のパチンコ台列１１にそって１、２、３、・・・のように昇順で付され、島１０の他端で他方のパチンコ台列１２に移って島コントローラ３０側へ戻る方向に連続して付される。この呼び番号を図では丸枠に囲んで示している。
破線で囲んで示すように、背中合わせの隣接する４台の台間玉貸機１５ごとに１台の中継器４０（４０１、４０２、・・・）が設けられ、パチンコ台列１１、１２間の空間に配置されている。各中継器４０は共通のバスライン５０を介して島コントローラ３０に接続されている。
【００１６】
中継器４０にはそれぞれ当該中継器のアドレス設定用に１６位置のロータリ式のディップスイッチ（ＤＳ）４２が設けられる。ここでは、そのディップスイッチ４２により、島コントローラ３０が設置された島の端部から近い順にパチンコ台列方向に中継器４０のアドレス番号が１、２、３、・・・と設定されている。図中、この中継器４０のアドレス番号は四角枠に囲んで表示してある。
パチンコ台１００台レベルの島では、中継器４０のアドレス番号を設定するのに１桁のディップスイッチで十分である。
【００１７】
中継器４０はそれぞれ４つのコネクタＡ、Ｂ、Ｃ、Ｄを備えて、４台の台間玉貸機１５が通信線４５でこれらのコネクタに接続される。すなわち、最も島端側の中継器４０１については、そのコネクタＡ、Ｂに台間玉貸機１５１、１５２が呼び番号の昇順で接続され、コネクタＣ、Ｄには台間玉貸機１５ｎ−１、１５ｎが同じく昇順で接続されている。
各台間玉貸機１５１、１５２、１５ｎ−１、１５ｎからは売上げデータや第１センサによるトラブルデータ等の管理データが入力される。
他の中継器４０についても、同様に、背中合わせの隣接する４台の台間玉貸機１５が昇順でコネクタＡ、Ｂ、Ｃ、Ｄに接続される。
【００１８】
島コントローラ３０は島設備アドレス設定部３２を有している。
各中継器４０においてそのコネクタＡ、Ｂ、Ｃ、Ｄに接続される台間玉貸機１５はその接続順が固定されている（ここでは昇順）ので、管理データの経路がどの中継器とどのコネクタを経ているかにより、その管理データの出所である台間玉貸機がどれであるか特定することができる。
これに基づいて、島設備アドレス設定部３２は、以下のように台間玉貸機その他のアドレスを設定する。
【００１９】
すなわち、中継器４０１のコネクタＡに入力される管理データは台間玉貸機１５１から出力されたものであるから、ディップスイッチ４２で設定された中継器のアドレス番号「１」を親番とし、これに子番としてコネクタＡを示す符号「Ａ」を加えたアドレス（１−Ａ）を台間玉貸機１５１のアドレスとする。
また、中継器４０２のコネクタＤに入力される管理データは台間玉貸機１５ｎ−２から出力されたものであるから、ディップスイッチ４２で設定された中継器のアドレス番号「２」とコネクタＤを示す符号「Ｄ」とからなるアドレス（２−Ｄ）を台間玉貸機１５ｎ−２のアドレスとする。
これにより、島設備アドレス設定部３２では、図３のように左辺に示すアドレスが右辺の台間玉貸機に対して設定される。
【００２０】
島コントローラ３０は、島設備アドレス設定部３２で設定した上記アドレス（１−Ａ）、（１−Ｂ）等を指定して、バスライン５０経由で管理データの要求指令を送出する。この要求指令を受信した中継器４０では、アドレス中の親番が自己の中継器アドレス番号であるとき、子番の符号に該当するコネクタを経由して、当該コネクタに接続している台間玉貸機１５から管理データを取り込む。そして、中継器４０は、台間玉貸機１５から入力されたこの管理データをバスライン５０により島コントローラ３０へ送出する。
この際、中継器４０は、島コントローラ３０へ送出する管理データに必要に応じて上記親番と子番からなるアドレスを付する。
【００２１】
島コントローラ３０では、必要により上記アドレスを対応する台間玉貸機１５の呼び番号にアドレス変換し、パチンコ店全体の管理を行なう管理装置３５からの要求に応じて、台間玉貸機１５ごとの管理データをその呼び番号とともに管理装置３５へ送出する。
なお、中継器４０のコネクタのいずれかに台間玉貸機１５が接続されていないときは、当該コネクタにかかるアドレスに対応する呼び番号（アドレス）は空き番となる。
【００２２】
なお、上述した台間玉貸機１５と同様に、パチンコ台１３や紙幣搬送装置２０等についても、互に隣接する一群ごとに中継器４０を設けて、そのコネクタに接続されるパチンコ台等に中継器アドレス番号（親番）とコネクタを示す符号（子番）とからなるアドレスを付する。
これにより、島コントローラ３０では、前述の第２センサによるトラブルデータがどのパチンコ台からのものか、あるいは第３センサによる紙幣搬送装置２０のトラブルがどの搬送ユニットにおけるものかを特定することができる。
【００２３】
本実施の形態は以上のように構成され、隣接する一群の台間玉貸機１５ごとに中継器４０を設け、中継器だけにディップスイッチ４２で親番を設定し、中継器４０の各コネクタの符号を子番として、親番と子番のセットを台間玉貸機１５のアドレスとするものとしたので、従来のディップスイッチ方式のものと比較してディップスイッチの数を格段に少なくしながら、各台間玉貸機１５を確実に識別することができ、コストを大幅に低減できる。
そして、デジチェーン方式を採用していないので、いずれかの台間玉貸機でトラブルが発生しても、それ以降の台間玉貸機との通信が不可能となり、安定性に欠けるという問題から解放される。
【００２４】
さらに、中継器４０のコネクタＡ、Ｂ、Ｃ、Ｄに接続される台間玉貸機１５は、好ましくはその接続順を固定化してあるが、もし接続間違いがあっても、実際の接続状態に合わせて島コントローラ３０側でアドレスと呼び番号の対応関係を入れ替えるだけで、簡単に修正が可能であるという利点を有する。
【００２５】
また、台間玉貸機１５は一般に種々のメーカから供給を受けるため、そのデータ入出力にかかる仕様が統一されていないので、台間玉貸機１５との間でデータの相互確認を行なうことができず、台間玉貸機１５側から一方的に管理データを受けることになるから、台間玉貸機１５と島コントローラ３０を直接接続する場合にはノイズによる影響を受けやすい。これに対して本実施の形態では、中継器４０と島コントローラ３０間はバスライン５０でデータの相互確認を行なうことができ、台間玉貸機１５は短い通信線４５で中継器４０に接続されるので、ノイズの影響を受けにくいという利点も有している。
【００２６】
以上、実施の形態の効果を台間玉貸機１５を例として述べたが、パチンコ台１３や紙幣搬送装置２０等のトラブルデータの島コントローラ３０への集約についても上述のとおりの効果が得られる。
【００２７】
なお、実施の形態では、中継器におけるコネクタを４個としたが、これに限定されず、適宜の個数に設定可能である。その場合も各中継器ともそれぞれ同数とするのが好ましく、島コントローラ３０での管理が容易となる。
また、コネクタ数を多くすることにより、台間玉貸機からの管理データと紙幣搬送装置等のセンサからの管理データ（トラブルデータ）を同じ中継器に入力でき、全体としての中継器の個数を減らすことができる。
【００２８】
また、実施の形態では、管理データを中継器４０から島コントローラ３０を介してパチンコ店全体の管理装置３５へ送るものとしたが、中継器４０から直接管理装置３５へ送るようにしてもよい。この場合は、島コントローラ３０の機能が管理装置３５に統合されることになる。
さらに、実施の形態は遊戯設備としてパチンコ店におけるパチンコ台、台間玉貸機、紙幣や硬貨の搬送装置について説明したが、これに限定されず、種々の管理データを引き出すべき装置を遊戯設備として含めることができ、またスロットマシン等の各種の遊戯台を設けた遊戯設備にも適用することができる。
【図面の簡単な説明】
【図１】本発明の実施の形態のレイアウトを示す図である。
【図２】台間玉貸機から島コントローラへのデータ通信系統図である。
【図３】台間玉貸機に対するアドレスを示す図である。
【符号の説明】
１０      島（遊戯島）
１１、１２    パチンコ台列（遊戯台列）
１３      パチンコ台（遊戯台）
１５、１５１、１５２、・・・      台間玉貸機
２０      紙幣搬送装置
２２      搬送ユニット
２４      紙幣回収部
２６      第１硬貨搬送装置
２７      第２硬貨搬送装置
２８      硬貨回収部
３０      島コントローラ
３２      島設備アドレス設定部（アドレス設定手段）
３５      管理装置
４０、４０１、４０２、・・・      中継器
４２      ディップスイッチ
４５      通信線
５０      バスライン
Ａ、Ｂ、Ｃ、Ｄ    コネクタ
【図１】
2004261281.tif 000003
【図２】
2004261281.tif 000004
【図３】
2004261281.tif 000005